(57)【特許請求の範囲】
【請求項１】
金属板や合成樹脂で構成し、平坦面に形成された接着辺と、該接着辺の上方より裏面側に折り曲げられたマグネット固定辺と、該マグネット固定辺に取付けられた前記接着辺に形成された開口部に面一状態で臨むマグネットと、前記接着辺の下方より折り曲げられた挟持辺とからなるガイドレールと、
該ガイドレールの前記マグネット固定辺と前記挟持辺との間に挿入固定されるカーテンを取付けるためのカーテンレールとより構成し、
前記ガイドレールに前記カーテンレールを装着した状態で、前記ガイドレールの接着辺に接着剤を塗布した後に、冷凍・冷蔵庫および冷凍・冷蔵食品棚の壁面における磁性体の固定体に前記接着辺を貼り付けることで、前記接着剤が固化するまで前記マグネットが前記固定板に磁力によって前記ガイドレールが仮固定状態となることを特徴とする業務用冷凍・冷蔵庫および冷凍・冷蔵食品棚用カーテンの取付構造。
【請求項２】
前記マグネット固定辺から内側に折り返され、前記マグネットが前記接着辺の前記開口部に対して面一状態を維持するようにバネ付勢する位置決め辺を形成したことを特徴とする請求項１記載の業務用冷凍・冷蔵庫および冷凍・冷蔵食品棚用カーテンの取付構造。
【請求項３】
前記挟持辺の幅を長くし、該挟持辺にもマグネットを取付けて前記マグネット固定辺のマグネットと共に仮固定したことを特徴とする請求項１記載の業務用冷凍・冷蔵庫および冷凍・冷蔵食品棚用カーテンの取付構造。
【請求項４】
前記ガイドレールの前記位置決め辺と前記挟持辺によって挟持固定されるカーテンレールにＴ字状の開口部を形成し、かつ、カーテンに取付けられる取付部材に、前記開口部の水平部から挿入されると共に開口部の縦方向の開口で係止されるＴ字状部を形成したことを特徴とする請求項１記載の業務用冷凍・冷蔵庫および冷凍・冷蔵食品棚用カーテンの取付構造。
【発明の詳細な説明】
【技術分野】
【０００１】
本発明は、業務用冷凍・冷蔵庫、例えば、スーパー等の食品売場で提供される冷凍食品や冷蔵食品の品出しや収納を行う冷凍・冷蔵作業室内に設置され、あるいは、食品売場における冷凍食品や冷蔵食品を陳列する食品棚を兼ねる業務用冷凍・冷蔵庫であって、該業務用冷凍・冷蔵庫の扉開閉による冷気を逃がさないためのカーテンや、夜間における食品棚の冷気を逃がさないためのカーテンを取付けるための業務用冷凍・冷蔵庫および冷凍・冷蔵食品棚用カーテンの取付構造に関する。
【背景技術】
【０００２】
従来における家庭用冷蔵庫の扉内側にカーテンを取付ける構造としては、カーテンレールを接着剤によって扉内側の庫内に取付けるもの（特開２００５−６９５２３号公報）、カーテンレールに取付けられたマグネットと扉内側の庫内に取付けられたマグネットどうしの磁力によって取付けるもの（特開２００２−２５７４６２号公報）があった。
【先行技術文献】
【特許文献】
【０００３】
【特許文献１】特開２００５−６９５２３号公報
【特許文献２】特開２００２−２５７４６２号公報
【発明の概要】
【発明が解決しようとする課題】
【０００４】
ところで、前記した特許文献１、２における接着剤やマグネットによってカーテンレールを取付ける対象となる冷蔵庫は家庭用冷蔵庫であるので、開口部が業務用冷凍・冷蔵庫と比較して小さいので使用するカーテンは、透明あるいは半透明の比較的厚みの薄い軽量な樹脂フィルムを利用したものとなっている。従って、軽量のカーテンを冷蔵庫の開口部に接着剤やマグネットによって取付けてもカーテンレールが妄りに開口部の貼着部分から外れることはない。
【０００５】
しかし、業務用の冷凍・冷蔵庫は家庭用の冷蔵庫と比較して、庫内に人が出入りして収納されている食品を店内の食品収納部に運び出したり、運搬業者から送られてくる食品を収納したりするために扉となる開口部が大きいため、業務用の冷凍・冷蔵庫の扉に用いる冷気を逃がさないためのカーテンは、家庭用冷蔵庫に用いる程度のカーテンと比較して厚みが厚く重量が大であると共に大きさも大きく、従って、カーテンレールを接着剤で固定する場合には接着剤が固化するまで冷凍・冷蔵庫内で人手でレールを押さえ続ける必要がある等のカーテン設置作業性が悪く、また、マグネットだけで固定した場合には、人の出入り時に人がカーテンを庫内の壁面に対するマグネットの磁力方向と逆らう方向に押したり引いたりすることで、カーテンが落下するといった問題が発生した。
【０００６】
そこで、接着剤やマグネットを使用することなく冷凍・冷蔵室の壁面にネジ止めすることも考えられるが、冷凍・冷蔵室の壁面はステンレス等の金属板で覆われているために、スーパー等の店舗の店員等の素人がカーテン設置作業を行おうとしてもネジ止めが難しく結局は専門業者に依頼しなければならないといった問題があった。
【０００７】
また、冷凍あるいは冷蔵食品を収納する食品棚に収納さている食品は、閉店後の夜間においても冷凍・冷蔵し続けることが必要となるが、このような場合にも食品棚の壁面がステンレス等の金属板で覆われている場合は前記したと同様な問題が発生した。
【０００８】
本発明は前記した問題点を解決せんとするもので、その目的とするところは、カーテンレールを取付けた状態のガイドレールにマグネットを冷凍・冷蔵庫あるいは食品棚の壁面である磁性体と吸着可能に露出した状態となし、かつ、ガイドレールの壁面と対向する面に接着剤を塗布し、前記マグネットの磁力で壁面に吸着した状態において接着面が壁面と接するようにすることで、前記接着剤が固化するまで前記マグネットにより仮固定されることで、ガイドレールを壁面に対して素人でも簡単に固定することが可能とした業務用冷凍・冷蔵庫および冷凍・冷蔵食品棚用カーテンの取付構造を提供せんとするにある。
【課題を解決するための手段】
【０００９】
本発明の業務用冷凍・冷蔵庫および冷凍・冷蔵食品棚用カーテンの取付構造は、前記した目的を達成せんとするもので、請求項１の手段は、金属板や合成樹脂で構成し、平坦面に形成された接着辺と、該接着辺の上方より裏面側に折り曲げられたマグネット固定辺と、該マグネット固定辺に取付けられた前記接着辺に形成された開口部に面一状態で臨むマグネットと、前記接着辺の下方より折り曲げられた挟持辺とからなるガイドレールと、該ガイドレールの前記マグネット固定辺と前記挟持辺との間に挿入固定されるカーテンを取付けるためのカーテンレールとより構成し、前記ガイドレールに前記カーテンレールを装着した状態で、前記ガイドレールの接着辺に接着剤を塗布した後に、冷凍・冷蔵庫および冷凍・冷蔵食品棚の壁面における磁性体の固定体に前記接着辺を貼り付けることで、前記接着剤が固化するまで前記マグネットが前記固定板に磁力によって前記ガイドレールが仮固定状態となることを特徴とする。
【００１０】
請求項２の手段は、前記した請求項１において、前記マグネット固定辺から内側に折り返され、前記マグネットが前記接着辺の前記開口部に対して面一状態を維持するようにバネ付勢する位置決め辺を形成したことを特徴とする。
【００１１】
請求項３の手段は、前記した請求項１において、前記挟持辺の幅を長くし、該挟持辺にもマグネットを取付けて前記マグネット固定辺のマグネットと共に仮固定したことを特徴とする。
【００１２】
請求項４の手段は、前記した請求項１において、前記ガイドレールの前記位置決め辺と前記挟持辺によって挟持固定されるカーテンレールにＴ字状の開口部を形成し、かつ、カーテンに取付けられる取付部材に、前記開口部の水平部から挿入されると共に開口部の縦方向の開口で係止されるＴ字状部を形成したことを特徴とする。
【発明の効果】
【００１３】
本発明は前記したように、ガイドレールにカーテンレールを装着した状態で、ガイドレールの接着辺に接着剤を塗布した後に、冷凍・冷蔵庫および冷凍・冷蔵食品棚の壁面における磁性体の固定体に接着辺を貼り付けることで、接着剤が固化するまでの間前記マグネットが固定板に磁力によってガイドレールが仮固定状態としたので、ガイドレールを冷凍・冷蔵庫および冷凍・冷蔵食品棚の壁面に対して強固に固定でき、従って、冷凍・冷蔵庫の場合における人の出入り時にカーテンが押されてもガイドレールが外れることがなく、また、冷凍・冷蔵食品棚に対して夜間時にはカーテンを外し、営業開始時にはカーテンを取付けるといった事を頻繁に行ってもガイドレールが外れることがないものである。
【００１４】
また、マグネット固定辺から内側に折り返され、マグネットが接着辺の開口部に対して面一状態を維持するようにバネ付勢する位置決め辺を形成したことにより、マグネットが開口部より前方に突出することがなく、従って、ガイドレールの接着辺の全面が固定板に対し接着剤を介して固化されるのでガイドレールは確実に固定板に対して固着されることとなる。
【００１５】
さらに、前記挟持辺の幅を長くし、該挟持辺にもマグネットを取付けて前記マグネット固定辺のマグネットと共に仮固定することで、ガイドレールの接着辺が上下方向に対して均一にマグネットの磁力で吸着されるので、ガイドレールは均一に確実に固定板に対して固着されることとなる。
【００１６】
また、ガイドレールの位置決め辺と挟持辺によって挟持固定されるカーテンレールにＴ字状の開口部を形成し、かつ、カーテンに取付けられる取付部材に、開口部の水平部から挿入されると共に開口部の縦方向の開口で係止されるＴ字状部を形成したので、ガイドレールに対してカーテンの取付けおよび取外しが簡単に行え、従って、冷凍・冷蔵食品棚の壁面に対する取付け、取外しが、より簡単に行える等の効果を有するものである。
【図面の簡単な説明】
【００１７】
【図１】本発明に係る業務用冷凍・冷蔵庫および食品棚用カーテンの取付構造の分解斜視図である。
【図２】組立状態の正面図である。
【図３】カーテンをカーテンレールに取付ける状態の側面図である。
【発明を実施するための形態】
【００１８】
以下、本発明の業務用冷凍・冷蔵庫および冷凍・冷蔵食品棚用カーテンの取付構造を図面と共に説明する。
Ａはスーパー等の食品売場に冷凍食品や冷蔵食品の品出しや収納を行う作業室内に設置された冷凍・冷蔵室の内壁面に形成されたステンレス等の磁性体である固定板である。
【００１９】
１はステンレス等の錆が生じ難い金属や合成樹脂で構成されたガイドレールにして、前記固定板Ａと面一状態になるように形成され、かつ、後述するマグネット１２の一面が面一状態で臨む開口１１ａが形成された接着辺１１と、該接着辺１１の上方から背面側にコの字状に折り返され、キャップマグネット１２（ヨークで外周を覆い吸着力を強くしたマグネット、以下、単にマグネットという）を接着剤で固定するマグネット固定辺１３と、該マグネット固定辺１３の先端から内側に折り返されマグネット１２が前記開口部１１ａに対して面一状態を維持するようにバネ付勢する位置決め辺１４と、前記接着辺１１の下辺から背面側の上方に折り返された後述するカーテンレール２を前記位置決め辺１４との間で挟持固定する挟持辺１５とより構成されている。
【００２０】
２は前記ガイドレール１の位置決め辺１４と挟持辺１５の一方の側面から挿入することで挟持固定されるカーテンレールにして、側面形において略Ｖ字状に形成された頂部２１から端部２２に向かってなだらかなカーブを描いて形成された挟持部２３が拡開されている。また、カーテンレール２にはＴ字状の開口部２４が形成されている。
【００２１】
このように形成したカーテンレール２を前記ガイドレール１の位置決め辺１４と挟持辺１５との側面側から挿入すると、前記位置決め辺１４と挟持辺１５によってカーテンレール２の前記なだらかなカーブを描いて形成されている挟持部２３が挟持固定される。なお、カーテンレール２をガイドレール１に対して、より強固に固定するには位置決め辺１４と挟持辺１５を挟持部２３側に押し付けることでカーテンレール２をガイドレール１に対して移動するのを防止することが可能となる。
【００２２】
なお、前記マグネット１２はマグネット固定辺１３に対してガイドレール１の長さに応じて複数個を取付けることで、ガイドレール１は固定板Ａに対して強力に吸着される。また、マグネット１２は実施例においては、マグネット固定辺１３にのみ取付けられているものを示したが、挟持辺１５の上下方向の長さを延ばし、該挟持辺１５側にもマグネット１２を取付けてもよい。なお、この場合、挟持辺１５とマグネット固定辺１３との間に、後述するカーテンレール２を挟持するだけの間隔が必要であるので、接着辺１１の上下方向の長さも長くする必要がある。
【００２３】
３は透明あるいは半透明な比較的厚みの厚い材質の樹脂膜で構成されたカーテンにして、該カーテンの１つの辺には金属板等の強度の高い材料で形成されたＴ字状部３１ａを有する取付部材３１が固定されている。
【００２４】
そして、固定状態にあるカーテンレール２の前記Ｔ字状の開口部２４の水平部に取付部材３１のＴ字状部３１ａの水平部を挿入した後、カーテン３を引き下げると取付部材３１の水平部は開口部２４の幅の狭い縦方向の開口部で係止される。従って、カーテン３はカーテンレール２に対して垂下状態で前後方向（作業者の出入り方向）には揺れ動くが左右方向に移動不可の状態で吊り下げられる。
【００２５】
次に、ガイドレール１を冷凍・冷蔵室の固定板Ａに取付けする方法について説明する。
先ず、ガイドレール１の接着辺１１の全面（マグネット１２の部分も含めて）に接着剤Ｂ（図３参照）を塗布した状態で、冷凍・冷蔵の固定板Ａに前記接着辺１１を張り付ける。この状態においてガイドレール１はマグネット１２の吸着力で固定板Ａに吸着され仮固定状態となっているので、接着剤Ｂが確実に乾燥固化するまでガイドレール１が移動することなく所定の位置で固着されることとなる。
【００２６】
また、冷凍食品や冷蔵食品を陳列する食品棚を閉店後に覆うカーテンの場合も前記した冷凍・冷蔵室の場合と同様に、食品棚の上方の前面あるいは背面に存在するステンレス等の磁性体で形成されている固定板にガイドレール１をマグネット１２で仮固定した状態で接着剤Ｂを乾燥固化させることで、ガイドレール１は確実に接着固定される。そして、このガイドレール１に取付けられているカーテンレール２にカーテンを取付けて食品棚の開口部を覆うことで冷気の放出を防止できる。
【００２７】
カーテンレール２としては前記した実施例に限定されるものではなく、ガイドレール１に固定可能な形状で、かつ、カーテンを取付ける手段として一般家庭等で使用されている通常のカーテンレール（棒状、下方に開口がありカーテンに取付けられている部材がスライドするもの等）の構造のものであってもよい。
【００２８】
また、カーテンレール２の重量が特に重い場合には、ガイドレール１の接着辺１１の面積をさらに大きくすればよい。
【符号の説明】
【００２９】
Ａ          固定板
Ｂ          接着剤
１         ガイドレール
１１       接着辺
１２       マグネット
１３        マグネット固定辺
１４        位置決め辺
１５        挟持辺
２          カーテンレール
２４        Ｔ字状開口部
３          カーテン
３１        取付部材
３２ａ      Ｔ字状部
【図１】
0005527733.tif 000002
【図２】
0005527733.tif 000003
【図３】
0005527733.tif 000004